(57)【要約】      （修正有）【課題】乳幼児用椅子に着座した乳幼児の座席からの脱出を防ぐと共に、乳幼児に窮屈感を与えず、離着席時のハーネス脱着が不要で、乳幼児用椅子に簡単に着脱可能な、脱出防止補助具を提供する。【解決手段】脱出防止補助具１１０は、左右一対の脱出防止補助具本体１１１ａと１１１ｂを固定ベルト１１２ａ等を使用して乳幼児用椅子３０の座板３５とガード枠３３の間かつ左右一対の側板３１ａと３１ｂの内側に設置され、ガードベルト３４両側の空間を乳幼児の膝下長より狭小化し、乳幼児が脚をガード枠３３の下に潜らせて座席からの脱出を防ぐ。更に、左右一対の脱出防止補助具本体拡張部１１９ａと１１９ｂならびに背板補助板１３０の追加で脱出を一層困難にする。また、左右一対の脱出防止補助具本体１１１ａと１１１ｂはそれぞれ幅方向に分割でき、背板補助板１３０は厚み方向に分割でき、乳幼児の成長に合わせて合体または分割使用可能。【選択図】図１１
0003170765.tif 000002
【実用新案登録請求の範囲】
【請求項１】
座板と背板と左右一対の側板と該座板に着座した乳幼児が脚を持ち上げることを規制する第一の構造体と着座した該乳幼児の股の間に位置して該乳幼児が該座板の前方に滑り落ちないよう規制する第二の構造体を有する乳幼児用椅子に取り付けて該乳幼児用椅子から該乳幼児が自ら脱出することを防止する脱出防止補助具において、該座板と該第一の構造体と左右一対の該側板で囲われかつ該第二の構造体で左右に分割されて形成される左右の空間を、左右一対の該側板の内側にそれぞれ設置して該空間を該乳幼児の膝下長よりそれぞれ狭小化する側面を有する左右一対の脱出防止補助具本体と、左右一対の該脱出防止補助具本体を該乳幼児用椅子の左右一対の該側板または該座板または該背板または該第一の構造体にそれぞれ固定する機構を有する、乳幼児用椅子の脱出防止補助具。
【請求項２】
前記左右一対の脱出防止補助具本体の乳幼児側側面は、前記乳幼児用椅子座板の上に設置され、該乳幼児側側面の前端部が該座板の前端部または前記第一の構造体に近接して位置し、該乳幼児側側面の後端部が該座板の後端部または前記背板に近接して位置し、該第一の構造体下面に近接する高さを有する、請求項１の脱出防止補助具。
【請求項３】
前記左脱出防止補助具本体の前記乳幼児側側面と前記乳幼児用椅子左側板の間隔ならびに前記右脱出防止補助具本体の前記乳幼児側側面と前記乳幼児用椅子右側板の間隔は、乳幼児腹側の該間隔に比して乳幼児背側の該間隔が幅広に形成された、請求項１乃至請求項２の脱出防止補助具。
【請求項４】
前記左右一対の脱出防止補助具本体は、少なくとも幅方向にそれぞれ２分割可能で、分割された左右一対の該脱出防止補助具本体はそれぞれ合体可能で、前記乳幼児用椅子座板と前記第一の構造体と左右一対の分割または合体可能な該脱出防止補助具本体で囲われかつ前記第二の構造体で左右に分割されて形成される左右の空間を、少なくとも２段階にそれぞれ狭小化可能な、請求項１乃至請求項３の脱出防止補助具。
【請求項５】
前記左右一対の脱出防止補助具本体の前記第一の構造体の内側部分に、左右一対の該脱出防止補助具本体の高さを高くする、左右一対の脱出防止補助具本体拡張部を有する、請求項１乃至請求項４の脱出防止補助具。
【請求項６】
前記乳幼児用椅子背板の前面に背板補助板を有し、前記乳幼児用椅子座板に着座した乳幼児の腰の後方への移動を規制する、請求項１乃至請求項５の脱出防止補助具。
【請求項７】
前記背板補助板は、少なくとも厚み方向に２分割可能で、分割された該背板補助板は合体可能で、前記乳幼児用椅子座板に着座した乳幼児の腰の後方への移動を少なくとも２段階に規制可能な、請求項６の脱出防止補助具。
【考案の詳細な説明】
【技術分野】
【０００１】
本考案は、乳幼児を椅子に着座させた場合、着座姿勢から自らの脚を座板の上方へ抜いて椅子から脱出することを防止する補助具で、乳幼児が椅子の座板等に立ち上がり椅子周辺の物品を汚損することを防止すると共に、乳幼児の椅子からの落下を防止する補助具に関する。
【背景技術】
【０００２】
乳幼児用椅子には乳幼児の着座姿勢を安全に保つよう、乳幼児の胴部を取り囲むガード枠が設けられ、更にガード枠左右中央部と座板前側左右中央部の間にガードベルトを張設し、ガードベルトの両側に乳幼児の左右の脚をそれぞれ差し込むように着座させることで、乳幼児がガード枠と座板の間から落下しないようにした椅子が知られている。また、着座した乳幼児の前方にトレイを備えた乳幼児用椅子の場合、前記ガード枠の代わりにトレイ下部左右中央部と座板前側左右中央部の間にガードベルトを張設した乳幼児用椅子も有り、前記と同様にそのガードベルトの両側に乳幼児の左右の脚をそれぞれ差し込むように着座させることで、乳幼児がトレイと座板の間から落下しないようにしている。
【０００３】
しかしながら、上記乳幼児用椅子に着座した乳幼児は、座板と前記ガード枠または前記トレイの間から自ら脚を引き抜き、着座姿勢から脱出する危険があった。乳幼児用椅子は乳幼児の成長を考慮して大きく作られていることが多く、初中期の乳幼児は着座姿勢から容易に脱出し、椅子周辺の物品を汚損したり、その乳幼児が椅子から落下する危険があった。
【０００４】
乳幼児の椅子からの脱出を防止するため、乳幼児を椅子に定着させるハーネスも知られている。しかしながら、ハーネスで乳幼児を椅子に定着するには、その締め付けを強くきつくする必要があり、乳幼児に窮屈感を与えると共に、乳幼児の着席と離席の度に着脱するハーネスの操作が煩わしかった。
【先行技術文献】
【特許文献】
【０００５】
【特許文献１】特開平９−２８９９３６
【特許文献２】特開２００１−１６９８７３
【特許文献３】特開２００４−１４７８０２
【特許文献４】特開２００６−５１１３０
【特許文献５】特開２００６−２７１６１３
【特許文献６】特開２００７−６９８１０
【特許文献７】特表２００９−５２７３１８
【考案の概要】
【考案が解決しようとする課題】
【０００６】
本考案は、乳幼児が乳幼児用椅子に着座した姿勢から、乳幼児が自ら脚をガード枠またはトレイの下を潜らせることにより、その脚を乳幼児用椅子内側へ抜いて、乳幼児が座席から脱出することを防止すると共に、乳幼児の成長に合わせて構成変更可能で、着座時に窮屈感を乳幼児に与えることが無く、乳幼児の着席時と離席時にハーネスの着脱などの煩わしい操作が不要で、乳幼児用椅子に簡単に着脱可能な、脱出防止補助具を提供することを目的とする。
【課題を解決するための手段】
【０００７】
本考案の脱出防止補助具は、左右一対の脱出防止補助具本体を乳幼児用椅子の座板とガード枠またはトレイの間かつ左右一対の側板の内側にベルトなどを使用してそれぞれ容易に設置し、ガードベルト両側の空間を乳幼児の膝下長より狭小化することにより、乳幼児が自ら脚を座板とガード枠またはトレイの間に潜らせてその脚を乳幼児用椅子内側に抜いて座席から脱出することを防止する。また、左右一対の脱出防止補助具本体拡張部を左右一対の脱出防止補助具本体に追加、更に背板補助板を追加、することにより、乳幼児自ら乳幼児用椅子からの脱出をより一層困難にする。また、左右一対の脱出防止補助具本体はそれぞれ幅方向に分割可能で、背板補助板は厚み方向に分割可能で、乳幼児の成長に合わせて合体使用または分割使用可能である。
【考案の効果】
【０００８】
上述の様に、本考案の乳幼児用椅子の脱出防止補助具は、乳幼児用椅子への取り付けが容易で、乳幼児の成長に合わせて構成変更可能で、乳幼児の着席時と離席時にハーネスの着脱など煩わしい操作が不要で、乳幼児の着座姿勢を整え、乳幼児に窮屈感を与えることが無く、乳幼児の椅子からの脱出および椅子からの落下を防止し、乳幼児による椅子周辺の物品の汚損を防止し、乳幼児を世話する者の負担を軽減する。
【図面の簡単な説明】
【０００９】
【図１】本考案の脱出防止補助具を乳幼児用椅子に取付けた状態の斜視図
【図２】本考案の脱出防止補助具を乳幼児用椅子に取付けた状態の平面図
【図３】本考案の脱出防止補助具の詳細な斜視図
【図４】本考案の２分割された脱出防止補助具本体の斜視図
【図５】拡張部が追加された本考案を乳幼児用椅子に取付けた状態の斜視図
【図６】拡張部が追加された本考案の詳細な斜視図
【図７】背板補助板が追加された本考案を乳幼児用椅子に取付けた状態の斜視図
【図８】背板補助板を後ろから見た詳細な斜視図
【図９】背板補助板を乳幼児用椅子に取付けた状態を後ろから見た背面図
【図１０】２分割された背板補助板を後ろから見た詳細な斜視図
【図１１】拡張部と背板補助板の両方を乳幼児用椅子に取付けた状態の斜視図
【考案を実施するための形態】
【００１０】
図１に本考案の左右一対の脱出防止補助具１１０を乳幼児用椅子３０に設置した様子を示す。乳幼児用椅子３０は少なくとも座板３５および背板３２および左右一対の側板３１aと３１bおよび該座板３５に着座した乳幼児が脚を持ち上げることを規制するガード枠３３および着座した乳幼児の股の間に位置して該乳幼児が該座板３５の前方に滑り落ちないよう規制するガードベルト３４で構成される。通常、ガードベルト３４は、ガード枠３３の左右中央部と座板３５の前側左右中央部の間に張設される。
【００１１】
左右一対の脱出防止補助具１１０は、左側脱出防止補助具本体１１１aと、それに取り付けられた固定ベルト１１２aと、右側脱出防止補助具本体１１１bと、それに取り付けられた図示されていない固定ベルト１１２bにより、構成される。左側脱出防止補助具本体１１１aは、左側脱出防止補助具本体１１１aに取り付けられた固定ベルト１１２aにより、乳幼児用椅子３０の座板３５とガード枠３３の間かつ左側板３１aの内側に固定される。同様に、右側脱出防止補助具本体１１１bは、右側脱出防止補助具本体１１１bに取り付けられた図示されていない固定ベルト１１２bにより、乳幼児用椅子の座板３５とガード枠３３の間かつ右側板３１bの内側に固定される。
【００１２】
ガードベルト３４の両側の空間、すなわち左側脱出防止補助具本体１１１aとガードベルト３４と座板３５とガード枠３３で囲まれる空間ならびに右側脱出防止補助具本体１１１bとガードベルト３４と座板３５とガード枠３３で囲まれる左右の空間が、それぞれ乳幼児の膝下長より狭小化するように、脱出防止補助具本体１１１aならびに１１１bを座板３５とガード枠３３の間かつ左右一対の側板３１aならびに３１bの内側に設置することで、乳幼児用椅子３０に着座した乳幼児がその脚を座板３５とガード枠３３の間を潜らせて脚をガード枠３３内側に抜いて座席から脱出することを防止する。
【００１３】
図２は図１で示した構成を上方から図示したもので、見やすくするため図１で示された乳幼児用椅子３０の足台３６を図示していない。図２に示した通り、左右一対の脱出防止補助具本体１１１aおよび１１１bのそれぞれの幅は、乳幼児腹側の幅に比して乳幼児背側の幅が幅広で、乳幼児が膝を先にガード枠３３の下を潜らせてから踵をガード枠３３の内側に抜くことを防止する。更に、左右一対の脱出防止補助具本体１１１aと１１１bの間隔は、乳幼児背側に比して乳幼児腹側の間隔が広いため乳幼児の脚の動きに自由度を確保し、かつ乳幼児の腰の左右の動きを規制して、乳幼児が膝を先にガード枠３３の下を潜らせてから踵をガード枠３３の内側に抜くことをより一層困難にすると共に乳幼児の正しい着席姿勢を促す効果がある。
【００１４】
図３は、本考案の左右一対の脱出防止補助具１１０のみを図示している。左側脱出防止補助具本体１１１aには第一の穴１１５aと第二の穴１１６aが有り、固定ベルト１１２aは第一の穴１１５aから左側脱出防止補助具本体１１１aの内部に入り、第二の穴１１６aから左側脱出防止補助具本体１１１aの外部に出る。固定ベルト１１２aの両端には雌雄一対の面ファスナ１１３aと１１４aが取り付けられている。左側脱出防止補助具本体１１１aの外部に出た固定ベルト１１２aの両端は、乳幼児用椅子３０の左側板３１aを巻き込み、その両端に取り付けられた雌雄一対の面ファスナ１１３aと１１４aにより図１および図２に示された通り結束され、左側脱出防止補助具本体１１１aが乳幼児用椅子３０の左側板３１aの内側に固定される。
【００１５】
図３に示された固定ベルト１１２aを左側脱出防止補助具本体１１１aに通す穴は、左側脱出防止補助具本体１１１aの側面２か所に限らず３か所以上の穴を設け、構成の異なる種々の乳幼児用椅子３０の左側板３１aに取り付け可能にしても良い。更に、１本の固定ベルト１１２aでの固定に限らず、２本以上のベルトを左側脱出防止補助具本体１１１aに取り付けて左側板３１aに固定しても良い。また固定ベルト１１２aは、左側脱出防止補助具本体１１１aの側面に限らず底面または上面または前面または背面に取り付け、乳幼児用椅子３０の左側板３１aに限らず座板３５または背板３２またはガード枠３３に固定しても良い。更に、左側脱出防止補助具本体１１１aの乳幼児用椅子３０への固定方法は前記方法に限らず、固定ベルト１１２aに取り付けた面ファスナ以外の結束具、もしくはベルトを代替する紐状のもの、もしくはネジまたは嵌合などの固定具を使用して固定しても良い。
【００１６】
同様に、右側脱出防止補助具本体１１１bには、図示されていない第一の穴１１５bと第二の穴１１６bが有り、図示されていない固定ベルト１１２bは第一の穴１１５bから右側脱出防止補助具本体１１１bの内部に入り、第二の穴１１６bから右側脱出防止補助具本体１１１bの外部に出る。固定ベルト１１２bの両端には図示されていない雌雄一対の面ファスナ１１３bと１１４bが取り付けられている。右側脱出防止補助具本体１１１bの外部に出た固定ベルト１１２bの両端は、乳幼児用椅子３０の右側板３１bを巻き込み、その両端に取り付けられた雌雄一対の面ファスナ１１３bと１１４bにより図１および図２に示された通り結束され、右側脱出防止補助具本体１１１bが乳幼児用椅子３０の右側板３１bの内側に固定される。
【００１７】
また、固定ベルト１１２bを右側脱出防止補助具本体１１１bに通す穴は、右側脱出防止補助具本体１１１bの側面２か所に限らず３か所以上の穴を設け、構成の異なる種々の乳幼児用椅子３０の右側板３１bに取り付け可能にしても良い。更に、１本の固定ベルト１１２bでの固定に限らず、２本以上のベルトを右側脱出防止補助具本体１１１bに取り付けて右側板３１bに固定しても良い。また固定ベルト１１２bは、右側脱出防止補助具本体１１１bの側面に限らず底面または上面または前面または背面に取り付け、乳幼児用椅子３０の右側板３１bに限らず座板３５または背板３２またはガード枠３３に固定しても良い。更に、右側脱出防止補助具本体１１１bの乳幼児用椅子３０への固定方法は前記方法に限らず、固定ベルト１１２bに取り付けた面ファスナ以外の結束具、もしくはベルトを代替する紐状のもの、もしくはネジまたは嵌合などの固定具を使用して固定しても良い。
【００１８】
図４は、図３の左右一対の脱出防止補助具本体１１１aおよび１１１bをそれぞれ幅方向に２分割し、乳幼児の成長に合わせてその構成を分割または合体可能にした脱出防止補助具１１０の構成を示す。乳幼児が初期で体が小さい場合は、２分割された左側脱出防止補助具本体１１７aと１１８aを合体させ、図１から図３に示した左側脱出防止補助具本体１１１aとして使用する。同様に２分割された右側脱出防止補助具本体１１７bと１１８bを合体させ、図１から図３に示した右側脱出防止補助具本体１１１bとして使用する。また、乳幼児の成長に合わせて、左右一対の脱出防止補助具本体１１７aと１１７bのみでの使用を可能にする。
【００１９】
ここで左右一対の脱出防止補助具本体１１１aおよび１１１bをそれぞれ２分割したのは単に一例であり、乳幼児のより細かい成長に合わせて３分割以上の構成も有り得る。
【００２０】
分割した左右一対の脱出防止補助具本体１１７aと１１８aおよび１１７bと１１８bの合体方法は、どちらか一方に突起を設け他方に突起受けを設けた噛み合わせもしくは嵌合、または接合面に取り付けた雌雄一対の面ファスナもしくは粘着剤による接着、または紐やベルトによる結束、またはその他固定具を使用した結合、により分割および合体出来るものであれば良い。
【００２１】
図５は、本考案の左右一対の脱出防止補助具本体１１１aおよび１１１bのガード枠３３の内側部分の高さをそれぞれ高くする左右一対の脱出防止補助具本体拡張部１１９aおよび１１９bを備え、乳幼児が膝をガード枠３３の下を潜らせ、更に脱出防止補助具本体１１１aまたは１１１bの上方にその膝を抜いて座席から脱出することを防止する。
【００２２】
図６に、本考案の左右一対の脱出防止補助具本体１１１aと１１１bおよび左右一対の脱出防止補助具本体拡張部１１９aと１１９bのみを図示する。左右一対の脱出防止補助具本体拡張部１１９aと１１９bは、左右一対の脱出防止補助具本体１１１aと１１１bにそれぞれ固定または接着、または左右一対の脱出防止補助具本体１１１aと１１１bの一部として一体成型しても良い。
【００２３】
本考案の左右一対の脱出防止補助具本体１１１aと１１１b、および分割された左右一対の脱出防止補助具本体１１７aと１１８aと１１７bと１１８b、および左右一対の脱出防止補助具本体拡張部１１９aと１１９bは必ずしも図１〜図６に示したような箱形に限らず、乳幼児の膝の動きを規制して乳幼児がその膝と踵を座板３５とガード枠３３の間を潜らせて脚をガード枠３３内側に抜いて座席から脱出することを防止出来れば、左右一対の脱出防止補助具本体１１１aと１１１b、および分割された左右一対の脱出防止補助具本体１１７aと１１８aと１１７bと１１８b、および左右一対の脱出防止補助具本体拡張部１１９aと１１９b、の乳幼児側面のみを有する板状の脱出防止補助具であって、その板状の脱出防止補助具を乳幼児用椅子３０の左右一対の側板３１aと３１bまたは座板３５または背板３２またはガード枠３３を使用して所定の位置に固定する構成でも良いことは言うまでもない。
【００２４】
図7は、図1に示した本考案の左右一対の脱出防止補助具１１０に背板補助板１３０を追加した構成を示す。背板補助板１３０は、乳幼児用椅子３０の背板３２の内側に取り付けられ、乳幼児の腰の後方への移動を規制する充分な厚みを有し、乳幼児がその腰を後方へ移動させてその膝と踵をガード枠３３の下を潜らせ、乳幼児が脚をガード枠３３の内側に抜いて座席から自ら脱出することをより一層困難にする。背板補助板１３０はその左右に取り付けられたそれぞれ一対の固定ベルト１３１aと図示されていない１３２aおよび１３１bと図示させれていない１３２bにより、乳幼児用椅子３０の背板３２に固定される。
【００２５】
図８は、背板補助板１３０を乳幼児用椅子３０の背板３２から取り外した状態を背後から図示している。左右それぞれ一対の固定ベルト１３１aと１３２aおよび１３１bと１３２bは、背板補助板１３０の左右に取り付けられている。左側の一対の固定ベルト１３１aと１３２aは、それぞれ背板補助板１３０の左上部と左下部に取り付けられ、末端には雌雄一対の面ファスナ１３３aと１３４aが取り付けられている。右側の一対の固定ベルト１３１bと１３２bは、それぞれ背板補助板１３０の右上部と右下部に取り付けられ、末端には雌雄一対の面ファスナ１３３bと１３４bが取り付けられている。
【００２６】
図９は、背板補助板１３０を乳幼児用椅子３０の背板３２の内側に取り付けた状態を背後から図示ししたもので、見やすくするため図１に示した乳幼児用椅子３０の足台３６を図示していない。背板補助板１３０の左上方に取り付けられた固定ベルト１３１aと、背板補助板１３０の左下方に取り付けられた固定ベルト１３２aは、乳幼児用椅子３０の背板３２を巻きこむようにして、固定ベルト１３１aと１３２aの末端に取り付けられた図８に示した雌雄一対の面ファスナ１３３aと１３４aにより、背板３２の背後で結束される。同様に、背板補助板１３０の右上方に取り付けられた固定ベルト１３１bと、背板補助板１３０の右下方に取り付けられた固定ベルト１３２bは、乳幼児用椅子３０の背板３２を巻きこむようにして、固定ベルト１３１bと１３２bの末端に取り付けられた図８に示した雌雄一対の面ファスナ１３３bと１３４bにより、背板３２の背後で結束される。
【００２７】
固定ベルト１３１aと１３２aおよび１３１bと１３２bが背板補助板１３０に取り付けられる位置は図８に示された位置に限らず、背板補助板１３０を乳幼児用椅子３０の背板３２の内側に取り付け可能であれば他の位置でも良い。また、背板補助板１３０を乳幼児用椅子３０の背板３２の内側に取り付けることが可能であれば、ベルトの末端に面ファスナを取り付けての結束に限らず、紐またはネジまたはその他の固定具を使用して固定しても良い。更に、背板補助板１３０を乳幼児用椅子３０の背板３２の内側に取り付け可能であれば、乳幼児用椅子３０の背板３２に限らず、左右一対の側板３１aと３１bまたは座板３５またはガード枠３３に取り付けても良い。
【００２８】
図１０は、図８の背板補助板１３０を厚み方向に２分割し、乳幼児の成長に合わせてその構成を分割または合体可能にした背板補助板１３５と１３６を示す。乳幼児が初期で体が小さい場合は、２分割された背板補助板１３５と１３６を合体させ、図７から図９に示した背板補助板１３０として使用する。また、乳幼児の成長に合わせて、背板補助板１３５のみでの使用を可能にする。
【００２９】
ここで背板補助板１３０を２分割したのは単に一例であり、乳幼児のより細かい成長に合わせて３分割以上の構成も有り得る。
【００３０】
分割した背板補助板１３５と１３６の合体方法は、どちらか一方に突起を設け他方に突起受けを設けた噛み合わせもしくは嵌合、または接合面に取り付けた雌雄一対の面ファスナもしくは粘着剤による接着、または紐やベルトによる結束、またはその他固定具を使用した結合、により分割および合体出来るものであれば良い。
【００３１】
図１１は、乳幼児用椅子３０の座板３５とガード枠３３の間かつ左右の側板３１aと３１bの内側にそれぞれ固定された左右一対の脱出防止補助具本体１１１aと１１１bならびに左右一対の脱出防止補助具本体１１１aと１１１bのガード枠３３の内側部分の高さをそれぞれ高くする左右一対の脱出防止補助具本体拡張部１１９aと１１９bならびに背板３２の内側に取り付けられた背板補助板１３０を備えた状態の乳幼児用椅子３０の様子で、乳幼児が着座状態からその脚をガード枠３３の下を潜らせて座席から脱出することを防止する。左右一対の脱出防止補助具本体１１１aと１１１bならびに背板補助板１３０により、乳幼児の腰の左右ならびに後方への移動が規制され、乳幼児が着座状態から自らその膝と踵をガード枠３３の下を潜らせて座席から脱出することを一層困難にすると共に乳幼児の着座姿勢を整える。
【００３２】
上記ガードベルト３４は、着座時の乳幼児の股間に入りガード枠と座板の間から乳幼児が落下しないような構造であれば、ベルトでなく紐状のものや剛性構造材でも良い。更に、ベルトに限らず剛性材を使用したガード柵の場合、そのガード柵はガード枠３３または座板３５のどちらか一方のみに固定され、他方との隙間が充分に狭く乳幼児の脚が抜けなければ良い。
【００３３】
上記カード枠３３は、必ずしも図１・図２・図５・図７・図１１に示した形状である必要はなく、乳幼児が着座状態で膝を持ち上げて足を座板に乗せることができないよう膝または腿の持ち上げ高さを規制する構造物であれば良く、更に着座した乳幼児前方に設置したトレイでも良い。
【００３４】
上記左右一対の側板３１aおよび３１bは必ずしも図１・図２・図５・図７・図９・図１１に示した形状である必要はなく、板状の材料による別の仕組みで、または板状の材料の代わりに棒状またはパイプ状またはその他の形状の材料を使用した、上記左右一対の側板３１aおよび３１bと同等の役割をするものであれば、本考案の脱出防止補助具を適用できることは言うまでもない。
【００３５】
上記本考案の乳幼児用椅子の脱出防止補助具１１０は乳幼児を対象にその実施例およびその効果を記述したが、必ずしも乳幼児に限らずそれ以上の年齢の子供または大人を対象に、その者が椅子に着座した状態から自ら椅子から脱出することを防止する用途に使用できることは言うまでもない。
【図１】
0003170765.tif 000003
【図２】
0003170765.tif 000004
【図３】
0003170765.tif 000005
【図４】
0003170765.tif 000006
【図５】
0003170765.tif 000007
【図６】
0003170765.tif 000008
【図７】
0003170765.tif 000009
【図８】
0003170765.tif 000010
【図９】
0003170765.tif 000011
【図１０】
0003170765.tif 000012
【図１１】
0003170765.tif 000013